(57)【要約】【課題】  検索結果の情報の量が十分でない場合に、ユーザ希望する情報については、ユーザに労力をかけずに十分な情報を表示することのできる検索装置を提供する。【解決手段】  見出し語の指定を受け付けた後、当該見出し語に対応づけられて検索用データベースに記録されている情報を検索し、該検索された情報を表示する。また表示された情報中に再検索指定情報が含まれる場合には、当該再検索指定情報に対応して検索用データベースに記録されている情報を読み取って既に検索された情報に続けて再表示を行う。【選択図】  図１
2008203946.tif 000002
【特許請求の範囲】
【請求項１】
見出し語の指定を受け付けた後、当該見出し語に対応づけられて検索用データベースに記録されている情報を検索する第１検索手段と、
前記検索された情報を表示する表示手段と、
前記表示された情報中に表示される再検索指定情報を予め記憶する再検索指定情報記憶手段と、
前記表示された情報中に前記再検索指定情報が含まれる場合には、当該再検索指定情報に対応して前記検索用データベースに記録されている情報を読み取って既に検索された情報に続けて前記表示手段に再表示の指示を行う第２検索手段と、
を備えることを特徴とする検索装置。
【請求項２】
前記再検索指定情報は、再検索の開始を特定する再検索開始特定文字列と、当該再検索開始特定文字列の前または後ろの文章中に表示されて位置する見出し語とにより構成され、
前記第２検索手段は、前記第１検索手段によって検索されて表示された情報中に前記検索開始特定文字列を検出した場合には、当該検索開始特定文字列の前または後ろの文章中に表示されて位置する見出し語を検出し、当該検出した見出し語に対応付けられて前記検索用データベースに記録されている情報の再表示を前記表示手段に指示する
ことを特徴とする請求項１に記載の検索装置。
【請求項３】
前記再検索指定情報は、再検索の開始を特定する図柄データであり、
前記第２検索手段は、前記第１検索手段によって検索されて表示された情報中に図柄データを検出した場合には、当該図柄データの識別情報に対応付けられて前記検索用データベースに記録されている情報の再表示を前記表示手段に指示する
ことを特徴とする請求項１に記載の検索装置。
【請求項４】
検索除外指定情報を予め記憶する検索除外指定情報記憶手段を更に備え、
前記第２検索手段は、前記第１検索手段によって検索されて表示された情報中に前記検索開始特定文字列を検出し、さらに前記検索除外指定情報を検出した場合には、再検索の処理の中止を決定する
ことを特徴とする請求項１から請求項３の何れかに記載の検索装置。
【請求項５】
前記第２検索手段は、前記第１検索手段によって検索されて表示された情報の画面上の範囲に基づいて再検索の処理の中止を決定する
ことを特徴とする請求項１から請求項３の何れかに記載の検索装置。
【請求項６】
検索装置における検索方法であって、
前記検索装置の第１検索手段が、見出し語の指定を受け付けた後、当該見出し語に対応づけられて検索用データベースに記録されている情報を検索し、
前記検索装置の表示手段が、前記検索された情報を表示し、
前記検索装置の再検索指定情報記憶手段が、前記表示された情報中に表示される再検索指定情報を予め記憶し、
前記検索装置の第２検索手段が、前記表示された情報中に前記再検索指定情報が含まれる場合には、当該再検索指定情報に対応して前記検索用データベースに記録されている情報を読み取って既に検索された情報に続けて前記表示手段に再表示の指示を行う
ことを特徴とする検索方法。
【請求項７】
再検索指定情報を予め記憶する再検索指定情報記憶手段を備えた検索装置のコンピュータに実行させるプログラムであって、
見出し語の指定を受け付けた後、当該見出し語に対応づけられて検索用データベースに記録されている情報を検索する第１検索処理と、
前記検索された情報を表示する表示処理と、
前記表示された情報中に前記再検索指定情報が含まれる場合には、当該再検索指定情報に対応して前記検索用データベースに記録されている情報を読み取って既に検索された情報に続けて前記表示手段に再表示の指示を行う第２検索処理と、
をコンピュータに実行させるプログラム。
【請求項８】
請求項７に記載のプログラムを記憶するコンピュータ読み取り可能な記録媒体。
【発明の詳細な説明】
【技術分野】
【０００１】
本発明は、データベースから情報を検索する検索装置及び検索方法ならびにそのプログラムと記録媒体に関する。
【背景技術】
【０００２】
従来電子辞書では、入力された見出し語に対応する語義や訳などを辞書データベースから検索して画面に表示している。そしてユーザは、画面に表示された検索結果のうち再検索したい単語等の情報が表示されている場合には、その単語等の情報を指定した後に他のデータベースなどから再検索して表示するための機能（ジャンプ機能）を利用して、当該再検索した単語の他の語義や訳を電子辞書に表示させている。図１０は従来の検索装置におけるジャンプ機能の概要を示す図である。図１０で示すように、まず見出し語についての検索を行って、その検索が表示された場合に（図１０のａ）、ユーザが当該検索結果で示される単語がわからない場合には、再度検索する必要がある。その場合、ユーザは再検索したい単語を指定して（図１０のｂ）、指定した単語を、ジャンプ機能を用いてどの辞書で検索するかを指定し、再検索を行う（図１０のｃ）。ここで、このようなジャンプ機能が備えられている電子辞書において、当該再検索の対象となる単語をどのデータベースの中から検索するかの候補（ジャンプ先の候補）を表示せずに、適切なデータベース（ジャンプ先）から検索する技術が特許文献１に開示されている。
【特許文献１】特開２００４−２１３１４６号公報
【発明の開示】
【発明が解決しようとする課題】
【０００３】
ところで従来の電子辞書においては、ユーザが指定した見出し語の語義や訳などの検索結果が、他の見出し語を表示しているだけのものがある。例えば『ｗｅｎｔ』という単語をユーザが電子辞書で検索した場合には、『ｗｅｎｔ』は『ｇｏ』の過去形であるので、検索結果として“＜動詞＞ｇｏの過去形”としか表示されず（図１０のａで示すような画面例）、これは『ｇｏ』という単語を再度検索するように指示しているにすぎない。このような場合、ユーザが『ｇｏ』という単語について語義や訳を知らない場合には、その単語を再検索する必要があり、そのためにユーザは検索結果に表示されている『ｇｏ』という単語を指定し、ジャンプ機能で辞書データを選択して、当該指定した単語を見出し語として辞書データから検索するよう指示することが必要である。したがって、ユーザは、『ｗｅｎｔ』という単語を指定してからその語義や訳を表示させるために、ジャンプ機能を利用した再検索の操作を行う必要があり手間がかかっていた。また上述のように『ｗｅｎｔ』と見出し語として検索した場合には、その語義として“＜動詞＞ｇｏの過去形”としか表示されないので、画面の表示領域が有効活用されておらず、またユーザに対して十分な情報を表示していないという問題があった。
【０００４】
そこでこの発明は、検索結果の情報の量が十分でない場合に、ユーザ希望する情報については、ユーザに労力をかけずに十分な情報を表示することのできる検索装置及び検索方法ならびにそのプログラムと記録媒体を提供することを目的としている。
【課題を解決するための手段】
【０００５】
上記目的を達成するために、本発明は、見出し語の指定を受け付けた後、当該見出し語に対応づけられて検索用データベースに記録されている情報を検索する第１検索手段と、前記検索された情報を表示する表示手段と、前記表示された情報中に表示される再検索指定情報を予め記憶する再検索指定情報記憶手段と、前記表示された情報中に前記再検索指定情報が含まれる場合には、当該再検索指定情報に対応して前記検索用データベースに記録されている情報を読み取って既に検索された情報に続けて前記表示手段に再表示の指示を行う第２検索手段と、を備えることを特徴とする検索装置である。
【０００６】
また本発明は上述の検索装置において、前記再検索指定情報は、再検索の開始を特定する再検索開始特定文字列と、当該再検索開始特定文字列の前または後ろの文章中に表示されて位置する見出し語とにより構成され、前記第２検索手段は、前記第１検索手段によって検索されて表示された情報中に前記検索開始特定文字列を検出した場合には、当該検索開始特定文字列の前または後ろの文章中に表示されて位置する見出し語を検出し、当該検出した見出し語に対応付けられて前記検索用データベースに記録されている情報の再表示を前記表示手段に指示することを特徴とする。
【０００７】
また本発明は上述の検索装置において、前記再検索指定情報は、再検索の開始を特定する図柄データであり、前記第２検索手段は、前記第１検索手段によって検索されて表示された情報中に図柄データを検出した場合には、当該図柄データの識別情報に対応付けられて前記検索用データベースに記録されている情報の再表示を前記表示手段に指示することを特徴とする。
【０００８】
また本発明は上述の検索装置において、検索除外指定情報を予め記憶する検索除外指定情報記憶手段を更に備え、前記第２検索手段は、前記第１検索手段によって検索されて表示された情報中に前記検索開始特定文字列を検出し、さらに前記検索除外指定情報を検出した場合には、再検索の処理の中止を決定することを特徴とする。
【０００９】
また本発明は上述の検索装置において、前記第２検索手段は、前記第１検索手段によって検索されて表示された情報の画面上の範囲に基づいて再検索の処理の中止を決定する  ことを特徴とする。
【００１０】
また本発明は、検索装置における検索方法であって、前記検索装置の第１検索手段が、見出し語の指定を受け付けた後、当該見出し語に対応づけられて検索用データベースに記録されている情報を検索し、前記検索装置の表示手段が、前記検索された情報を表示し、前記検索装置の再検索指定情報記憶手段が、前記表示された情報中に表示される再検索指定情報を予め記憶し、前記検索装置の第２検索手段が、前記表示された情報中に前記再検索指定情報が含まれる場合には、当該再検索指定情報に対応して前記検索用データベースに記録されている情報を読み取って既に検索された情報に続けて前記表示手段に再表示の指示を行うことを特徴とする検索方法である。
【００１１】
また本発明は、再検索指定情報を予め記憶する再検索指定情報記憶手段を備えた検索装置のコンピュータに実行させるプログラムであって、見出し語の指定を受け付けた後、当該見出し語に対応づけられて検索用データベースに記録されている情報を検索する第１検索処理と、前記検索された情報を表示する表示処理と、前記表示された情報中に前記再検索指定情報が含まれる場合には、当該再検索指定情報に対応して前記検索用データベースに記録されている情報を読み取って既に検索された情報に続けて前記表示手段に再表示の指示を行う第２検索処理と、をコンピュータに実行させるプログラムである。
【００１２】
また本発明は、上述のプログラムを記憶するコンピュータ読み取り可能な記録媒体である。
【発明の効果】
【００１３】
本発明によれば、検索結果の情報の量が十分でない場合であって、かつ、ユーザが再度検索する必要があると思われる文字列について、ユーザに労力をかけずに十分な情報を表示することができる。
【発明を実施するための最良の形態】
【００１４】
以下、本発明の一実施形態による検索装置を図面を参照して説明する。
図１は同実施形態による検索装置の構成を示すブロック図である。
この図において、符号１は検索装置である。そして検索装置１は、入力キーから情報の入力を受け付ける入力部１１、辞書データを記憶する辞書データ記憶部１２、再検索指定情報を記憶する再検索指定情報記憶部１３、再検索指定情報や検索除外指定情報の登録処理を行う登録処理部１４、入力を受け付けた見出し語に基づいて辞書データ記憶部から当該見出し語の語義などの情報を検索する初回検索処理部１５、初回の検索処理における検索結果の中に再検索指定情報が含まれている場合には当該再検索指定情報に関連して辞書データ記憶部１２に格納されている情報を検索する再検索処理部１６、初回検索処理部１５や再検索処理部１６の検索結果を画面に表示する表示処理部１７を備えている。なお、辞書データは見出し語やアイコンなどの図柄データに対応付けて、語義や訳などの情報が格納されたデータである。なお再検索指定情報についての詳細は後述する。
【００１５】
図２は検索装置の機能が備えられる電子辞書の概略図である。
この図が示す電子辞書は画面、各種入力キーが備えられており、内部に検索装置の機能を備える。そしてユーザがキーを押下することにより検索装置１の入力部１１に当該押下されたキーの情報が通知される。また表示処理部１７は検査結果などの情報を電子辞書の画面に表示する処理を行う。
【００１６】
図３は再検索指定情報テーブルのデータ例を示す図である。
この再検索指定情報テーブルは、ユーザが見出し語の語義や訳を検索した際に、当該検索結果の中に再検索の開始の指示を示す文字列が含まれるか否かを判定する際に利用される。そして再検索指定情報テーブルには辞書の種類、再検索指定情報、検索除外指定情報、設定の各情報がそれぞれ対応付けられて格納されている。“辞書の種類”は、ユーザが検索装置の備えられた電子辞書においてどの辞書の機能を利用しているかを示す情報であり、また再検索指定情報は、検索結果の表示の中に存在し再検索の開始を特定する文字列の情報である。また“検索除外指定情報” は、検索結果の表示の中に再検索開始特定文字列があった場合であっても、その前後の何れかに当該検索除外指定情報で示される文字列がある場合には再検索の処理を停止することを特定する文字列である。また“設定”の情報は再検索指定情報や検索除外指定情報の組み合わせによる検索装置１の処理が有効または無効であるかを示す情報である。つまり“設定”が無効となっていれば、その再検索指定情報と検索除外指定情報の組み合わせによる検索装置１の処理は行われない。なお再検索指定情報には再検索の開始を特定する文字列と、見出し語が再検索指定情報の前と後ろのどちらに位置するかを示すアンダーバー“＿”の組み合わせで表されている。
【００１７】
そして、検索装置１は、見出し語の指定を受け付けた後、当該見出し語に対応づけられて辞書データ記憶部１２に記録されている情報を検索し、また当該検索された情報を画面に表示する処理を行う。次に検索装置１は、表示された情報中に再検索指定情報が含まれるか否かを判定し、含まれる場合には当該再検索指定情報に対応して辞書データ記憶部１２に記録されている情報を読み取って既に検索された情報に続けて画面に再表示する指示を表示処理部１７へ通知する処理を行う。これにより検索結果の情報の量が十分でない場合に、ユーザ希望する情報については、ユーザに労力をかけずに十分な情報を表示することができるようになる。
【００１８】
図４は再検索指定情報の登録処理の概要を示す図である。
まず、ユーザは再検索指定情報を登録する際に、見出し語の指定と、再検索の開始を特定するための文字列とを指定する。ここで、図４の（ａ），（ｂ）が見出し語の指定を行う際の画面例である。また（ｃ），（ｄ）が再検索の開始を特定するための文字列の指定を行う際の画面例である。
【００１９】
ここで、“ｗｅｎｔ”という見出し語について検索装置１を備えた電子辞書で検索した場合には、その検索結果として“＜動詞＞ｇｏの過去形”としか表示されないため、 “ｇｏ”という単語についての語義や訳を知らない場合には、そのユーザは再度“ｇｏ”を見出し語とした検索を行わなければならない。したがって、このような検索の面倒さを軽減するために、図４の例では“ｇｏ”という見出し語の指定と、再検索の開始を特定するための文字列の指定とを行う。なお検索装置１の登録処理部１４は、見出し語が指定した際にはその見出し語の文字列にアンダーバーを表示し、また再検索の開始を特定するための文字列の指定が行われた際には、その文字列の色を反転させることによって、ユーザにそれぞれの指定が行われたことを通知する。
【００２０】
そして再検索指定情報の登録のキーが押下されると、登録処理部１４は、再検索の開始を特定するための文字列の前と後ろのどちらに見出し語が指定されたかを検出する。そして登録処理部１４は、再検索の開始を特定するための文字列の前に見出し語の指定が行われた場合には、アンダーバーに続けて再検索の開始を特定するための文字列を再検索指定情報として再検索指定情報テーブルに登録する。また登録処理部１４は、再検索の開始を特定するための文字列の後ろに見出し語の指定が行われた場合には、再検索の開始を特定するための文字列に続けてアンダーバーの文字列を再検索指定情報として再検索指定情報テーブルに登録する。この登録により、再検索指定情報が検索画面に表示されている場合には、その再検索指定情報の前または後ろにある見出し語が再検索されることとなる。つまり、“ｇｏ”という見出し語と“の過去形”という再検索指定情報が続く文字列が検索結果内に表示される以外にも、“の過去形”という再検索指定情報があれば、再検索指定情報として登録されているアンダーバーの位置によって、その前または後ろにある見出し語が特定されて、その見出し語についての再検索処理が行われることとなる。
【００２１】
図５は検索除外指定情報の登録処理の概要を示す図である。
ユーザは検索除外指定情報を登録する際に、再検索の処理を停止することを特定するための文字列（検索除外指定情報）と、見出し語の指定と、再検索の開始を特定するための文字列（再検索指定情報）とを指定する。ここで、図５の（ａ），（ｂ）が再検索の処理を停止することを特定するための文字列の指定を行う際の画面例である。また（ｃ），（ｄ）が見出し語の指定を行う際の画面例である。また（ｅ），（ｆ）が再検索の開始を特定するための文字列の指定を行う際の画面例である。
【００２２】
ユーザは再検索指定情報を登録した場合であっても、ある条件の下では再検索処理が行われないようにしたい場合がある。例えば、検索結果として画面に表示された情報の中に再検索指定情報を示す文字列があったとしても、当該文字列を見出し語とする検索結果に複数のまったく異なる語義が存在する場合には、それらのどれがユーザの希望する検索の結果に当てはまるのかが分からないため、再検索の対象から除外する必要がある。したがって、このような場合には、図５の例ではユーザは“―動詞”という再検索の処理を停止することを特定するための文字列の指定と、“ｇｏ”という見出し語の指定と、再検索の開始を特定するための文字列の指定とを行う。なお検索装置１の登録処理部１４は、再検索の処理を停止することを特定するための文字列の指定が行われた際には、その文字列の色を判定させ、また見出し語が指定した際にはその見出し語の文字列にアンダーバーを表示し、また再検索の開始を特定するための文字列の指定が行われた際には、その文字列の色を反転させることによって、ユーザにそれぞれの指定が行われたことを通知する。
【００２３】
そして検索除外指定情報の登録のキーが押下されると、登録処理部１４は、再検索の開始を特定するための文字列と、当該文字列に対する見出し語の前後の位置を特定するアンダーバーと、の組み合わせからなる再検索指定情報が既に再検索指定情報テーブルに登録されているか否かを判定する。そして登録されている場合には、その再検索指定情報に対応付けて、検索除外指定情報（図５の場合には“―動詞”という文字列）を再検索指定情報テーブルに登録する。これにより、初回の検索の結果、画面に表示された文字列の中に再検索指定情報がある場合であっても、その再検索指定情報の示す文字列の前後に検索除外指定情報がある場合には、再検索の停止の処理が行われることとなる。
【００２４】
図６は検索装置の処理フローを示す第１の図である。
図７は検索装置の処理フローを示す第２の図である。
次に図６、図７を用いて本実施形態による検索装置の処理フローについて説明する。
まず、ユーザが検索装置１を用いて文字の検索を行う場合には、ユーザは検索装置１に文字を入力し、検索装置１が文字の入力を受け付ける（ステップＳ１０１）。すると初回検索処理部１５は、入力された文字列の順番と同じ順番の文字列を先頭から含んでいる見出し語を辞書データ記憶部１２から読み取って、当該見出し語のリストを画面に表示する（ステップＳ１０２）。そして、見出し語の選択と決定キーが押下されたかを判定し（ステップＳ１０３）、決定キーが押下された場合には初回検索処理部１５は当該選択された見出し語に対応付けられて辞書データ記憶部１２に記録されている語義や訳の情報を読み取る。
【００２５】
そして初回検索処理部１５は見出し語を画面に表示し（ステップＳ１０４）、次に検索結果の情報である語義や訳を画面に１行表示する（ステップＳ１０５）。すると再検索処理部１６は、画面に表示された１行の検索結果の中に再検索指定情報テーブルに登録されている再検索指定情報が含まれるかどうかを判定する（ステップＳ１０６）。そして、再検索指定情報が含まれていない場合には、初回検索処理部１５は１画面全体への表示が終了したか否かを判定し（ステップＳ１０７）、終了していなければステップＳ１０５へ戻り、次の１行を表示する。またステップＳ１０７において検索結果の全ての行の表示を終了した場合には、次の文字のキーが押下されたか否かを判定し（ステップＳ１０８）、文字のキーが押下された場合にはステップＳ１０１からの処理を繰り返す。また初回検索処理部１５はスクロールキーが押下されたか否かを判定し（ステップＳ１０９）、スクロールキーが押下された場合には、表示している行を下または上方向に変更する処理を開始し（ステップＳ１１０）、ステップＳ１０５からの処理を繰り返す。
【００２６】
また、ステップＳ１０６において検索結果の１行中に再検索指定情報が含まれていると判定した場合には、再検索処理部１６は、次にその１行中に検索除外指定情報が含まれているか否かを判定する（ステップＳ１１１）。そして、含まれていない場合には、再検索処理部１６は、再検索指定情報において見出し語を特定するためのアンダーバーが、再検索の開始を特定するための文字列の後ろと前のどちらに位置するかを判定する。そして前にある場合には、再検索の開始を特定するための文字列の前に表示されている見出し語を再検索対象と特定する。また再検索処理部１６は、アンダーバーが再検索の開始を特定するための文字列の後ろにある場合には、当該再検索の開始を特定するための文字列の後ろに表示されている見出し語を再検索対象と特定する（ステップＳ１１２）。なお表示している検索結果の情報には、どの文字列が検索対象となる見出し語であるかを特定するＩＤ等の識別子が格納されている（図１１参照）。この識別子は参照先の辞書の種別をも特定するＩＤである。したがって再検索処理部１６は、再検索の開始を特定するための文字列の前または後ろにある見出し語を特定すると、その見出し語について検索結果の情報に格納されているＩＤにより、検索用辞書を特定し（ステップＳ１１３）、その辞書データを辞書データ記憶部１２において特定して再検索の処理を行う（ステップＳ１１４）。なお図１１は語義データの概要と語義の表示例を示す図である。この図で示すように（ｃ）や（ｄ）で示す語義データ内には参照先（再検索対象）の見出し語の番号（上述したＩＤに相当）や参照先の見出し語のどの位置から表示するかの情報が格納されている。そして“gone”や“went”が見出し語である場合には参照先（再検索対象）の見出し語番号０２５７８が語義データに格納されている。したがって、見出し語番号０２５７９の“碁、囲碁”を示す語義データが参照先（再検索対象）とならずに、正確な見出し語が参照先（再検索対象）となる。（ａ）は英語の“go”という動詞が見出し語である場合の表示例である。また（ｂ）は“碁、囲碁”の英語表記である“go”名詞が見出し語である場合の表示例である。
【００２７】
次に再検索処理部１６は、検索結果の情報を一行表示する（ステップＳ１１５）。そして１画面全体への表示が終了したか否かを判定する（ステップＳ１１６）。画面にまだ表示できる余白がある場合には、検索結果の情報を全て表示完了したか否かを判定し（ステップＳ１１７）、表示完了していなければステップ１１５へ戻る。またステップＳ１１６において１画面全体への表示が終了したと判定した場合には、文字のキーが押下されたか否かを判定し（ステップＳ１１８）、またスクロールキーが押下されたか否かを判定する（ステップＳ１１９）。文字のキーが押下された場合にはステップＳ１１５の処理へ移り、またスクロールキーが押下された場合には、表示している行を下または上方向に変更する処理を開始し（ステップＳ１２０）、ステップＳ１１５からの処理を繰り返す。
【００２８】
図８は検索装置の処理フローを示す第３の図である。
図８で示す処理フローは、図７の処理フローにおけるステップＳ１１１の処理がステップＳ２０１とステップＳ２０２の処理に変更されたものである。このように、検索装置１は、画面に表示された検索結果の行が最終行であるか否かを判定し、また画面の余白が半分以上あるか否かを判定し、表示した行が検索結果の最終行であって、かつ画面の余白が半分以上ある場合にのみ、再検索対象の見出し語を特定して、その見出し語の検索結果を画面に表示するようにしてもよい。
【００２９】
図９は検索結果の表示例を示す図である。
この図において（ａ）は初回検索処理の検索結果と、再検索処理の検索結果を点線で分けて表示した例である。また（ｂ）初回検索処理の検索結果に続けて再検索処理の検索結果を表示した例である。このように、本実施形態の検索装置１により、初回検索結果の表示が少なく、またユーザがその初回検索結果の中に表示された文字列が分からない場合にそなえて、初回検索結果の中に再検索指定情報の文字列がある場合には、その文字列を見出し語とする検索結果が表示される。
【００３０】
以上の処理により、検索結果の情報の量が十分でない場合であって、かつ、ユーザが再度検索する必要があると思われる文字列について、ユーザに労力をかけずに十分な情報を表示することができるようになる。
【００３１】
なお、本実施形態においては、再検索指定情報が文字列である場合について示したが、足検索指定情報がアイコンなどの図柄であるようにしてもよい。この場合、そのアイコンが初回の検索結果中に表示されていれば、そのアイコンの情報に対応付けられて登録されている情報が再検索されて、初回の検索結果に続けて表示されることとなる。
【００３２】
なお、上述の検索装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】検索装置の構成を示すブロック図である。
【図２】検索装置の機能が備えられる電子辞書の概略図である。
【図３】再検索指定情報テーブルのデータ例を示す図である。
【図４】再検索指定情報の登録処理の概要を示す図である。
【図５】検索除外指定情報の登録処理の概要を示す図である。
【図６】検索装置の処理フローを示す第１の図である。
【図７】検索装置の処理フローを示す第２の図である。
【図８】検索装置の処理フローを示す第３の図である。
【図９】検索結果の表示例を示す図である。
【図１０】従来の検索装置におけるジャンプ機能の概要を示す図である。
【図１１】語義データの概要と語義の表示例を示す図である。
【符号の説明】
【００３５】
１・・・検索装置
１１・・・入力部
１２・・・辞書データ記憶部
１３・・・再検索指定情報記憶部
１４・・・登録処理部
１５・・・初回検索処理部
１６・・・再検索処理部
１７・・・表示処理部
【図１】
2008203946.tif 000003
【図２】
2008203946.tif 000004
【図３】
2008203946.tif 000005
【図４】
2008203946.tif 000006
【図５】
2008203946.tif 000007
【図６】
2008203946.tif 000008
【図７】
2008203946.tif 000009
【図８】
2008203946.tif 000010
【図９】
2008203946.tif 000011
【図１０】
2008203946.tif 000012
【図１１】
2008203946.tif 000013